(57)【要約】      （修正有）【課題】電子負傷者情報のハードウェアシステムを一つの筐体内に収め、緊密な構造で、使用、携帯と運輸がともに便利であり、作業効率を高めることができる、電子負傷者情報ハードウェアシステムを一体化した作業箱を提供する。【解決手段】作業箱が上箱部と下箱部２を含み、上箱部と下箱部２の接口部が外に突出し、上箱部の接口部がシールリングを有し、下箱部２の接口部がシールリングと一致する突出部７２を有し、上箱部の内部に衝撃吸収層１１を有する。下箱部２は三層に分かれており、上層２１がモバイルオペレーション端末収容槽２１１、負傷者情報作成装置収容槽２１３、分類オペレーション端末収容槽２１２を有し、中層が充電装置収容槽を有し、下箱部２に近接する一側面に充電装置収容槽と接続する開口を有し、開口に対応するシーリングカバーを有することで、作業箱の密封性をより良く保持できる。【選択図】図３
0003216230.tif 000002
【実用新案登録請求の範囲】
【請求項１】
上箱部及び下箱部を有する作業箱であって、
上箱部と下箱部の接口部が外に突出し、前記上箱部の接口部がシールリングを有し、前記下箱部の接口部が前記シールリングと一致する突出部を有し、
前記上箱部と下箱部の接口部の一側面がヒンジで連結され、もう一方の側面がロック装置により可動に接続され、
前記上箱部の内部に衝撃吸収層を有し、前記衝撃吸収層にいくつかの凸起部が均一に分布されて、前記下箱部が三層に分かれており、
上層がモバイルオペレーション端末収容槽、負傷者情報作成装置収容槽、及び分類オペレーション端末収容槽を有し、
中層が充電装置収容槽を有し、下箱部に近接する一側面に前記充電装置収容槽と接続される開口を有し、前記開口に対応するシーリングカバーを有し、
下層が衝撃吸収層であり、
前記下箱部の側面に把手を有し、
前記モバイルオペレーション端末収容槽内にモバイルオペレーション端末を有し、前記モバイル端末モバイルオペレーション端末はサーバーと無線接続するために用いられるものであり、
前記分類オペレーション端末収容槽内に分類オペレーション端末を有し、前記分類オペレーション端末がサーバーと無線接続するために用いられるものであり、
前記負傷者情報作成装置収容槽はＲＦＩＤリストバンド収容槽及びＲＦＩＤリーダー収容槽を含み、前記ＲＦＩＤリストバンド収容槽内にいくつかのＲＦＩＤリストバンドを有し、
前記ＲＦＩＤリーダー収容槽内にＲＦＩＤリーダーを有し、前記ＲＦＩＤリーダーが分類オペレーション端末と接続するために用いられるものであり、
前記充電装置収容槽内に充電器を有し、前記充電器が前記開口に可動に嵌合され、
充電器の一端は、前記ＲＦＩＤリーダーの充電ケーブル、モバイルオペレーション端末の充電ケーブル、及び分類オペレーション端末の充電ケーブルと接続され、もう一端は前記開口により電源と接続されることを特徴とする、
電子負傷者情報ハードウェアシステムを一体化した作業箱。
【請求項２】
前記上箱部及び下箱部の角部に補強リブを有することを特徴とする、
請求項１に記載の電子負傷者情報ハードウェアシステムを一体化した作業箱。
【請求項３】
前記筐体に、異なる標高に適用するために筐体内外気圧を自動調節する防水気圧バランスバルブを有することを特徴とする、
請求項１に記載の電子負傷者情報ハードウェアシステムを一体化した作業箱。
【請求項４】
前記衝撃吸収層はシールリング及び硬質発泡材を含み、
前記シールリングが、前記硬質発泡材と前記作業箱の本体の接触部に設置されることを特徴とする、請求項１に記載の電子負傷者情報ハードウェアシステムを一体化した作業箱。
【請求項５】
前記上箱部及び下箱部の底部に、少なくとも２本の並行するフランジを有することを特徴とする、
請求項１に記載の電子負傷者情報ハードウェアシステムを一体化した作業箱。
【請求項６】
前記上箱部は第１箱蓋及び第２箱蓋を含み、前記第１箱蓋と第２箱蓋の一端は、それぞれ対応する前記下箱部の両側と可動接続され、
もう一端は共に接して前記下箱部を覆うことを特徴とする、請求項１に記載の電子負傷者情報ハードウェアシステムを一体化した作業箱。
【請求項７】
前記作業箱の一側面に引手を有し、もう一方の側面の底部に車輪を有することを特徴とする、
請求項１に記載の電子負傷者情報ハードウェアシステムを一体化した作業箱。
【請求項８】
前記ロック装置両側に補助ロック装置を有することを特徴とする、
請求項１に記載の電子負傷者情報ハードウェアシステムを一体化した作業箱。
【請求項９】
前記作業箱の本体の材質はポリプロピレンポリマープラスチックであることを特徴とする、
請求項１に記載の電子負傷者情報ハードウェアシステムを一体化した作業箱。
【考案の詳細な説明】
【技術分野】
【０００１】
本実用新案は、応急救援情報技術装備であり、特に電子負傷者情報ハードウェアシステムを一体化した作業箱に関する。
【背景技術】
【０００２】
負傷者情報は特定の書式の紙本フォーム又はカード式の情報媒体であり、負傷者救護で最も重要な医療後送文書であり、負傷者救護の連続性と継続性を保持する面において重要な役割を果たす。しかし、多くの不可避な問題も存在しており、例えば情報媒体の破損や紛失、情報説明が不完全、不正確で不一致となる点、情報媒体の遺失や無記録等により、救護分業での負傷状態検査作業の重複をきたし、負傷者救護の連続性と有効性に重大な影響を及ぼし、負傷者救助の黄金の７２時間を逃す原因となる。
【０００３】
以上の不足点を克服するため、紙本の負傷者情報の替わりに電子負傷者情報システムを逐次採用して負傷者の分類後送を行っている。ＲＦＩＤ技術は、無線電子信号により特定標的を認識し、関連データを読み込むことができる。認識システムと特定標的との間に機械的或いは光学的な接触が不要であり、可視光線は不要であり、隠蔽性が高く、野外応急条件での需要に更に適合している。
【０００４】
しかし、電子負傷者情報システムには複数のハードウェアの相互支援が必要とされるものであるが、現在の電子負傷者情報のハードウェアシステムはすべて別々に携帯されており、使用時にとても不便であるとともに、低効率で、野外応急救援には不利である。
【考案の概要】
【考案が解決しようとする課題】
【０００５】
従来技術に存在する問題点に対して、本実用新案の目的は、電子負傷者情報のハードウェアシステムを一つの筐体内に収め、緊密な構造で、使用、携帯と運輸に便利であり、作業効率の高い電子負傷者情報ハードウェアシステムを一体化した作業箱を提供する。
【課題を解決するための手段】
【０００６】
上記目的を達成するため、本実用新案は、上箱部及び下箱部を有する作業箱であって、上箱部と下箱部の接口部が外に突出し、前記上箱部の接口部がシールリングを有し、前記下箱部の接口部が前記シールリングと一致する突出部を有し、前記上箱部と下箱部の接口部の一側面がヒンジで連結され、もう一方の側面がロック装置により可動に接続され、前記上箱部の内部に衝撃吸収層を有し、前記衝撃吸収層にいくつかの凸起部が均一に分布されて、前記下箱部が三層に分かれており、前記上層がモバイルオペレーション端末収容槽、負傷者情報作成装置収容槽、及び分類オペレーション端末収容槽を有し、前記中層が充電装置収容槽を有し、下箱部に近接する一側面に前記充電装置収容槽と接続される開口を有し、前記開口が対応するシーリングカバーを有し、前記下層が衝撃吸収層であり、前記下箱部の側面に引手を有し、
前記モバイルオペレーション端末収容槽内にモバイルオペレーション端末を有し、前記モバイル端末モバイルオペレーション端末はサーバーと無線接続するために用いられるものであり、
前記分類オペレーション端末収容槽内に分類オペレーション端末を有し、前記分類オペレーション端末がサーバーと無線接続するために用いられるものであり、
前記負傷者情報作成装置収容槽はＲＦＩＤリストバンド収容槽及びＲＦＩＤリーダー収容槽を含み、前記ＲＦＩＤリストバンド収容槽内にいくつかのＲＦＩＤリストバンドを有し、前記ＲＦＩＤリーダー収容槽内にＲＦＩＤリーダーを有し、前記ＲＦＩＤリーダーが分類オペレーション端末と接続するために用いられるものであり、
前記充電装置収容槽内に充電器を有し、前記充電器が前記開口に可動に嵌合され、充電器の一端は前記ＲＦＩＤリーダーの充電ケーブル、モバイルオペレーション端末の充電ケーブルと分類オペレーション端末の充電ケーブルと接続され、もう一端は前記開口により電源と接続されることを特徴とする、電子負傷者情報ハードウェアシステムを一体化した作業箱を提供する。
【０００７】
好ましくは、前記上箱部及び下箱部の角部に補強リブを有する。
【０００８】
好ましくは、前記筐体に、異なる標高に適用するために筐体内外気圧を自動調節する防水気圧バランスバルブを有する。
【０００９】
好ましくは、前記衝撃吸収層はシールリング及び硬質発泡材を含み、前記シールリングが、前記硬質発泡材と前記作業箱の本体の接触部に設置される。
【００１０】
好ましくは、前記上箱部及び下箱部の底部に、少なくとも２本の並行するフランジを有する。
【００１１】
好ましくは、前記上箱部は第１箱蓋及び第２箱蓋を含み、前記第１箱蓋と第２箱蓋の一端は、それぞれ対応する前記下箱部の両側と可動接続され、もう一端は共に接して前記下箱部を覆う。
【００１２】
好ましくは、前記作業箱の一側面に引手を有し、もう一方の側面の底部に車輪を有する。
【００１３】
好ましくは、前記ロック装置両側に補助ロック装置を有する。
【００１４】
好ましくは、前記作業箱の本体の材質がポリプロピレンポリマープラスチックである。
【考案の効果】
【００１５】
本実用新案は、以下のような有益な効果を提供することができる。
１．筐体に電子負傷者情報ハードウェアシステムの収容槽を有し、電子負傷者情報ハードウェアシステムを別々に携帯しなければならない問題、及び使用上不便という問題を解決でき、緊密な構造で、作業効率を高めることができる。
２．筐体の底部に少なくとも２本のフランジを有し、筐体を保護すると同時に、多層積載時の簡便性と機械搬送中の安定性を図る。
３．筐体には車輪と引手が備えられ、作業箱を簡便に迅速に移動でき、時間の節約、更には救援効率を高めることができる。
【図面の簡単な説明】
【００１６】
【図１】本実用新案が提供する電子負傷者情報ハードウェアシステムを一体化した作業箱の構造概略図。
【図２】本実用新案が提供する電子負傷者情報ハードウェアシステムを一体化した作業箱の上箱部の構造概略図。
【図３】本実用新案が提供する電子負傷者情報ハードウェアシステムを一体化した作業箱の下箱部の構造概略図。
【図４】図３の上箱部上層の俯瞰図。
【図５】図３の上箱部中層の俯瞰図。
【図６】本実用新案が提供する電子負傷者情報ハードウェアシステムを一体化した作業箱の第２実施例の構造概略図。
【考案を実施するための形態】
【００１７】
以下、本実用新案の内容を更に理解するために、具体的な実施例と図面により本実用新案を説明する。
【００１８】
実施例１
図１〜５に示すように、本実用新案は、電子負傷者情報ハードウェアシステムを一体化した作業箱を提供する。作業箱１３が上箱部１と下箱部２を含み、上箱部１と下箱部２の接口部７が外に突出し、上箱部１の接口部がシールリング７１を有し、下箱部２の接口部が前記シールリング７１と一致する突出部７２を有し、上箱部１と下箱部２の接口部７の一側面がヒンジで連結され、もう一方の側面がロック装置１０により可動に接続され、上箱部１の内部に衝撃吸収層１１を有し、衝撃吸収層１１にいくつかの凸起部が均一に分布されて、下箱部２が三層に分かれており、上層２１がモバイルオペレーション端末収容槽２１１、負傷者情報作成装置収容槽２１３、分類オペレーション端末収容槽２１２を有し、中層２２が充電装置収容槽２２１を有し、下箱部２に近接する一側面に充電装置収容槽２２１と接続する開口３を有し、開口３に対応するシーリングカバーを有することで、作業箱の密封性をより良く保持できる。下層が衝撃吸収層であり、下箱部２の側面に把手４を有し、収容槽のサイズは収容する部品の大きさによって作成され、部品を中にはめ込むことができる。
モバイルオペレーション端末収容槽２１１内にモバイルオペレーション端末を有し、モバイル端末モバイルオペレーション端末はサーバーと無線接続するために用いられるものであり、携帯型モバイルオペレーション端末は負傷者情報の入力、分類に使われ、そして対応する前記ＲＦＩＤリストバンドをスキャンし、負傷者情報及び対応するＲＦＩＤリストバンドの情報を前記サーバーに送信する。
分類オペレーション端末収容槽２１２内に分類オペレーション端末を有し、分類オペレーション端末がサーバーと無線接続するために用いられるものであり、分類オペレーション端末がＲＦＩＤリーダーをコントロールして空白のＲＦＩＤリストバンドの作成及びＲＦＩＤリストバンドのデータ形式を統一し、分類オペレーション端末により前記サーバーの負傷者情報及び対応するＲＦＩＤリストバンドの情報を受信し、負傷者電子医療記録を生成して、負傷者情報の検索、照合及び分類に使用する。
【００１９】
負傷者情報作成装置収容槽２１３はＲＦＩＤリストバンド収容槽及びＲＦＩＤリーダー収容槽を含み、ＲＦＩＤリストバンド収容槽内にいくつかのＲＦＩＤリストバンドを有し、ＲＦＩＤリーダー収容槽内にＲＦＩＤリーダーを有し、前記ＲＦＩＤリーダーが分類オペレーション端末と接続するために用いられるものである。
【００２０】
充電装置収容槽２２１内に充電器を有し、前記充電器が前記開口３に可動に嵌合され、充電器の一端は、ＲＦＩＤリーダーの充電ケーブル、モバイルオペレーション端末の充電ケーブル、及び分類オペレーション端末の充電ケーブルと接続され、もう一端は開口３により電源と接続され、充電ケーブルは作業箱１３の中層２２に集中配置され、１つの充電器と接続されるので、スペースを節約でき、必要な電源コンセント数が少く、１つの電源コンセントのみですべての部品を充電できる。充電器は伸縮できる延長コードを有する。充電器の外側にシーリングカバーを有し、充電が必要な時に延長コードを引き出して外部電源コンセントと接続し、充電完了後、延長コードは自動的に巻き戻される。
【００２１】
作業箱１３の一側面に引手５を有し、もう一方の側面の底部に車輪６を有し、引手５を有する一面の側面の一面に把手４１を有することで、作業箱の移動をより簡便にし、時間と労力を節約できる。上箱部１と下箱部２の角部に補強リブを有し、防護性の高いデザイン採用して筐体を更に堅固にする。作業箱１３に、異なる標高に適用するために筐体内外気圧を自動調節する防水気圧バランスバルブ１２を有する。上箱部１と下箱部２の底部に、少なくとも２本の並行するフランジ９を有し、多層積載時の簡便性と機械搬送中の安定性を図る。ロック装置１０両側に補助ロック装置１１を有し、ボルトスレッドとボルトによりロック装置を補助する。
【００２２】
衝撃吸収層はシールリング及び硬質発泡材を含み、シールリングが硬質発泡材と前記作業箱の本体の接触部に設置され、収容槽は衝撃吸収層に備えられている。衝撃吸収層を備えることにより作業箱１３が野外の厳しい利用環境と劣悪な運輸条件に耐えられ、電子負傷者情報ハードウェアシステムの損壊を有効に保護する。
【００２３】
作業箱１３の本体の材質はポリプロピレンポリマープラスチックであり、その強度は一般のアルミ材より４倍高く、腐食せず、静電気が生じることもなく、また、金属箱のように衝撃摩擦時に容易に火花が生じず、ひび割れと永久変形することもない。その安全性は遥かに一般の工業標準を上回り、ポリプロピレンポリマープラスチックで作製された作業箱はＩＰ６７防護レベルを備え、防水、防塵、防虫、抗圧力等の利点を有する。
【００２４】
実施例２
図６に示すように、本実用新案はもう一つの好ましい実施例を提供するものである。上箱部１が第１箱蓋１４と第２箱蓋１５を含み、第１箱蓋１４と第２箱蓋１５の一端がそれぞれ下箱部２と対応する両側と可動接続され、もう一端は共に接して下箱部２を覆い、上箱部１を２つに分割することで、開閉時のスペースを節約し、更に簡便に操作できる。
【００２５】
本明細書において、具体例を用いて発明に対し詳細な説明を行った。上記実施例の説明は、あくまで本発明の中心思想を理解するための説明である。本発明の趣旨を逸脱しない前提で、当業者が行った容易な変更、均等な置換およびその他の改良は、当然、本発明の請求の範囲に含まれるものとする。
【符号の説明】
【００２６】
１  上箱部
１１  衝撃緩衝吸収層
２  下箱部
２１  上層
２１１  モバイルオペレーション端末収容槽
２１２  分類オペレーション端末収容槽
２１３  負傷者情報作成装置収容槽
２２  中層
２２１  充電収容槽
２３  下層
３  開口
４  把手
４１  把手
５  引手
６  車輪
７  接口部
７１  シールリング
７２  凸起部
９  フランジ
１０  ロック装置
１１  補助ロック装置
１２  防水気圧バランスバルブ
１３  作業箱
１４  第１箱蓋
１５  第２箱蓋
【図１】
0003216230.tif 000003
【図２】
0003216230.tif 000004
【図３】
0003216230.tif 000005
【図４】
0003216230.tif 000006
【図５】
0003216230.tif 000007
【図６】
0003216230.tif 000008
【手続補正書】
【提出日】平成30年3月6日(2018.3.6)
【手続補正１】
【補正対象書類名】実用新案登録請求の範囲
【補正対象項目名】全文
【補正方法】変更
【補正の内容】
【実用新案登録請求の範囲】
【請求項１】
上箱部及び下箱部を有する作業箱であって、
上箱部と下箱部の接口部が外に突出し、前記上箱部の接口部がシールリングを有し、前記下箱部の接口部が前記シールリングと一致する突出部を有し、
前記上箱部と下箱部の接口部の一側面がヒンジで連結され、もう一方の側面がロック装置により可動に接続され、
前記上箱部の内部に衝撃吸収層を有し、前記衝撃吸収層にいくつかの凸起部が均一に分布されて、前記下箱部が三層に分かれており、
上層がモバイルオペレーション端末収容槽、負傷者情報作成装置収容槽、及び分類オペレーション端末収容槽を有し、
中層が充電装置収容槽を有し、下箱部に近接する一側面に前記充電装置収容槽と接続される開口を有し、前記開口に対応するシーリングカバーを有し、
下層が衝撃吸収層であり、
前記下箱部の側面に把手を有し、
前記モバイルオペレーション端末収容槽内にモバイルオペレーション端末を有し、前記モバイルオペレーション端末はサーバーと無線接続するために用いられるものであり、
前記分類オペレーション端末収容槽内に分類オペレーション端末を有し、前記分類オペレーション端末がサーバーと無線接続するために用いられるものであり、
前記負傷者情報作成装置収容槽はＲＦＩＤリストバンド収容槽及びＲＦＩＤリーダー収容槽を含み、前記ＲＦＩＤリストバンド収容槽内にいくつかのＲＦＩＤリストバンドを有し、
前記ＲＦＩＤリーダー収容槽内にＲＦＩＤリーダーを有し、前記ＲＦＩＤリーダーが分類オペレーション端末と接続するために用いられるものであり、
前記充電装置収容槽内に充電器を有し、前記充電器が前記開口に可動に嵌合され、
充電器の一端は、前記ＲＦＩＤリーダーの充電ケーブル、モバイルオペレーション端末の充電ケーブル、及び分類オペレーション端末の充電ケーブルと接続され、もう一端は前記開口により電源と接続されることを特徴とする、
電子負傷者情報ハードウェアシステムを一体化した作業箱。
【請求項２】
前記上箱部及び下箱部の角部に補強リブを有することを特徴とする、
請求項１に記載の電子負傷者情報ハードウェアシステムを一体化した作業箱。
【請求項３】
前記作業箱に、異なる標高に適用するために筐体内外気圧を自動調節する防水気圧バランスバルブを有することを特徴とする、
請求項１に記載の電子負傷者情報ハードウェアシステムを一体化した作業箱。
【請求項４】
前記衝撃吸収層はシールリング及び硬質発泡材を含み、
前記シールリングが、前記硬質発泡材と前記作業箱の本体の接触部に設置されることを特徴とする、請求項１に記載の電子負傷者情報ハードウェアシステムを一体化した作業箱。
【請求項５】
前記上箱部及び下箱部の底部に、少なくとも２本の並行するフランジを有することを特徴とする、
請求項１に記載の電子負傷者情報ハードウェアシステムを一体化した作業箱。
【請求項６】
前記上箱部は第１箱蓋及び第２箱蓋を含み、前記第１箱蓋と第２箱蓋の一端は、それぞれ対応する前記下箱部の両側と可動接続され、
もう一端は共に接して前記下箱部を覆うことを特徴とする、請求項１に記載の電子負傷者情報ハードウェアシステムを一体化した作業箱。
【請求項７】
前記作業箱の一側面に引手を有し、もう一方の側面の底部に車輪を有することを特徴とする、
請求項１に記載の電子負傷者情報ハードウェアシステムを一体化した作業箱。
【請求項８】
前記ロック装置両側に補助ロック装置を有することを特徴とする、
請求項１に記載の電子負傷者情報ハードウェアシステムを一体化した作業箱。
【請求項９】
前記作業箱の本体の材質はポリプロピレンポリマープラスチックであることを特徴とする、
請求項１に記載の電子負傷者情報ハードウェアシステムを一体化した作業箱。